(57)【特許請求の範囲】
【請求項１】
タッセル本体部の両端に紐製ループ部材が取りつけられたカーテンタッセルを窓枠側に固定したＬ字状フックに掛止させるためのカーテンタッセル取付け補助具であって、
該取付け補助具は可撓性を有する板材で形成したリング状部とその一外側部から背中合わせで外方に向かう２個の釣り針状フックからなり、前記一外側部の反対側にあたるリング状部には前記Ｌ字状フックのフック部材が通過しえない幅の切断部を設けて構成されており、
前記リング状部を窓枠側Ｌ字状フックに吊り掛け、前記釣り針状フックの左右のフックにカーテンタッセルの左右端の紐製ループ部材をそれぞれ吊り掛けて使用している状態において、タッセル本体部を介して取付け補助具に窓枠側Ｌ字状フックから引き離そうとする所定以上の力が働いた場合には、前記リング状部及び釣り針状フックがその可撓性のために変形し、前記リング状部の切断部が大きく開いてリング状部が窓枠側Ｌ字状フックから外れるか、又は、釣り針状フックが引き伸ばされて前記紐製ループ部材が釣り針状フックから外れるかしてタッセル本体部が垂れ下がるように構成してあることを特徴とするカーテンタッセル取付け補助具。
【請求項２】
請求項１に記載のカーテンタッセル取付け補助具において、前記リング状部は前記切断部を設けないで閉リング状に形成してあり、
前記リング状部を窓枠側Ｌ字状フックに吊り掛け、前記釣り針状フックの左右のフックにカーテンタッセルの左右端の紐製ループ部材をそれぞれ吊り掛けて使用している状態において、タッセル本体部を介して取付け補助具に窓枠側Ｌ字状フックから引き離そうとする所定以上の力が働いた場合には、釣り針状フックがその可撓性のために変形して引き伸ばされ、前記紐製ループ部材が釣り針状フックから外れてタッセル本体部が垂れ下がるように構成してあることを特徴とするカーテンタッセル取付け補助具。
【発明の詳細な説明】
【技術分野】
【０００１】
本発明は、窓枠側に引き寄せたカーテンに巻き付け、窓枠側縁に固定したＬ字状フックに両端ループ部材を掛け止めすることにより使用しないときのカーテンを束ねた状態で窓側縁に拘束しておくためのカーテンタッセルに関し、特には幼児の事故を防止できるよう工夫したカーテンタッセル、及びカーテンタッセルをＬ字状フックに掛け止めするための取付け補助具に関する。
【背景技術】
【０００２】
窓に取りつけたカーテンは使用しないときには窓枠の一方に引き寄せ、カーテンタッセルと呼ばれる帯状又は紐状部品を中間部に巻き付けて束ね、窓枠等の縦枠に拘束しておかれる。従来のカーテンタッセルは帯状又は紐状の本体部の両端にループ部材（紐環）を取りつけたもので、窓枠側に取りつけたＬ字状フックに両端ループ部材を掛止させて引き寄せたカーテンを固定する。この状態ではカーテンタッセルがその両端ループ部材をＬ字状フックに掛止させて環状になった状態で吊り掛けられていることになる。
【０００３】
近年、この環状にして吊り掛けてあるカーテンタッセルで幼児が誤って、あるいはいたずらで首を吊る事故が発生しておりその対策が要望されている。対策として特許文献１には、吊り掛けたカーテンタッセルに不用意に大きな荷重がかかると両端ループ部材が窓枠側Ｌ字状フックのフック部を回動させ、ループ部材がフック部から外れるようにしたカーテン用房掛けが提案されている。しかし、このカーテン用房掛けの場合、カーテンタッセルの両端ループ部材（紐環）は房掛けのＬ字状部の底辺部に吊り掛かっているため、カーテンタッセルの両端ループ部材に下方向の荷重が掛かる場合にはＬ字状フックのフック部を回動させる回転モーメントが大きくならず、フック部が回動しにくい問題がある。
【先行技術文献】
【特許文献】
【０００４】
【特許文献１】特開２０１５−５４２３２号公報
【発明の概要】
【発明が解決しようとする課題】
【０００５】
本発明は、従来技術のこうした問題点を解決するためになされたもので、その課題は環状になって吊り掛けられているカーテンタッセルに窓枠側Ｌ字状フックから引き離そうとする大きな力が働いた場合には、その力の方向の如何を問わず、カーテンタッセルの環状体が直ちに開放されるようにしたカーテンタッセル、及びカーテンタッセルをＬ字状フックに掛け止めするための取付け補助具を提供することにある。
【課題を解決するための手段】
【０００６】
前記課題を解決するための請求項１に記載の発明は、タッセル本体部の両端に紐製ループ部材が取りつけられたカーテンタッセルを窓枠側に固定したＬ字状フックに掛止させるためのカーテンタッセル取付け補助具であって、該取付け補助具は可撓性を有する板材で形成したリング状部とその一外側部から背中合わせで外方に向かう２個の釣り針状フックからなり、前記一外側部の反対側にあたるリング状部にはＬ字状フックのフック部材が通過しえない幅の切断部を設けて構成されており、リング状部を窓枠側Ｌ字状フックに吊り掛け、釣り針状フックの左右のフックにカーテンタッセルの左右端の紐製ループ部材をそれぞれ吊り掛けて使用している状態において、タッセル本体部を介して取付け補助具に窓枠側Ｌ字状フックから引き離そうとする所定以上の力が働いた場合には、リング状部及び釣り針状フックがその可撓性のために変形し、リング状部の切断部が大きく開いてリング状部が窓枠側Ｌ字状フックから外れるか、又は、釣り針状フックが引き伸ばされて紐製ループ部材が釣り針状フックから外れるかしてタッセル本体部が垂れ下がるように構成してあることを特徴とするカーテンタッセル取付け補助具である。
【０００７】
このような構成によれば、タッセル本体部を介して取付け補助具に窓枠側Ｌ字状フックから引き離そうとする所定以上の力が働くと、リング状部及び釣り針状フックがその可撓性のために変形する。それによりリング状部の切断部が大きく開いてリング状部が窓枠側Ｌ字状フックから外れるか、または、釣り針状フックが引き伸ばされて紐製ループ部材が外れるかしてカーテンタッセルは環状態から開放され、垂れ下がる。これにより幼児の首吊り事故が防止される。
【０００８】
また、請求項２に記載の発明は、請求項１に記載のカーテンタッセル取付け補助具において、前記リング状部は前記切断部を設けないで閉リング状に形成してあり、リング状部を窓枠側Ｌ字状フックに吊り掛け、釣り針状フックの左右のフックにカーテンタッセルの左右端の紐製ループ部材をそれぞれ吊り掛けて使用している状態において、タッセル本体部を介して取付け補助具に窓枠側Ｌ字状フックから引き離そうとする所定以上の力が働いた場合には、釣り針状フックがその可撓性のために変形して引き伸ばされ、紐製ループ部材が釣り針状フックから外れてタッセル本体部が垂れ下がるように構成してあることを特徴とするカーテンタッセル取付け補助具である。
【０００９】
このような構成によれば、タッセル本体部を介して取付け補助具に窓枠側Ｌ字状フックから引き離そうとする所定以上の力が働くと、釣り針状フックがその可撓性のために引き伸ばされて紐製ループ部材が外れる。これにより幼児の首吊り事故が防止される。
【図面の簡単な説明】
【００１２】
【図１】第１の実施形態に係る本体部２が帯状のカーテンタッセルである。
【図２】第１の実施形態に係る本体部２が紐状のカーテンタッセルである。
【図３】帯状のカーテンタッセル１ａの片側端部を窓枠側Ｌ字状フック４に掛止させた状態の掛止状態斜視図である。
【図４】図３の掛止状態を上から見た平面図である。
【図５】第１の実施形態に係るフック掛止部材３の平面図である。
【図６】第２の実施形態に係るカーテンタッセル１０の片側端部を窓枠側Ｌ字状フック４に掛止させた状態を上から見た平面図である。
【図７】第２の実施形態に係るフック掛止部材１１の平面図である。
【図８】第３の実施形態に係るフック掛止部材１５の平面図である。
【発明を実施するための形態】
【００１３】
以下、本発明の実施形態を形態別に図面を参照して説明する。
（第１の実施形態）
図１は本実施形態のカーテンタッセル１ａの外観図でタッセル本体部２が帯状のもの、図２のカーテンタッセル１ｂはタッセル本体部が紐状のものである。本実施形態のカーテンタッセル１ａ、１ｂは両端部に特徴がある。カーテンタッセルは窓枠側に取り付けられたＬ字状フックに両端部を掛止させる構造を必要とするが、本実施形態のカーテンタッセルは両端部に取り付けたフック掛止部材３に特徴がある。
【００１４】
図３はタッセル本体部２が帯状のカーテンタッセル１ａの片側端部を窓枠側に取り付けたＬ字状フック４に掛止させた状態の掛止状態斜視図、図４はその掛止状態を上から見た平面図、図５はフック掛止部材３の平面図である。フック掛止部材３は可撓性を有する板材にて製作されており、図５に示すように窓枠側Ｌ字状フック４に掛けるリング状部５と、タッセル本体部２の端部と繋ぐための接続部６からなる。
【００１５】
接続部６は略台形に形成されて内側には矩形の孔７が設けてある。タッセル本体部２が帯状の場合はこの孔７に帯端部を通して折り返し、帯先端を元の本体部に逢着することによりフック掛止部材３を取り付ける。タッセル本体部２が紐状の場合は、図２に示すように接続部６の孔７に紐を通して取り付ける。フック掛止部材３の接続部６はタッセル本体部２に繋ぐための部分であり、タッセル本体部の端部構造、形状に合わせて接続しやすい形状とする。
【００１６】
窓枠側Ｌ字状フック４に掛けるリング状部５は接続部６と背中合わせに形成してある。そして、接続部６とは反対側にあたるリング部分には、狭い幅の切断部９が設けてある。切断部９の幅は、図４に示すようにリング状部５を窓枠側Ｌ字状フック４に掛けた通常の状態ではＬ字状フック４のフックが通過し得ない幅にしてある。リング状部５にＬ字状フック４のフックが通過し得ない幅の切断部９が設けてあることと、フック掛止部材３が可撓性を有する板材にて製作されている点が本実施形態のカーテンタッセル１の大きな特徴である。
【００１７】
このような構成のカーテンタッセル１ａを、窓際に引き寄せて束ねたカーテンに巻き付け、フック掛止部材３を窓枠側Ｌ字状フックに掛止させた状態でカーテンを開けておく。このような状態にあるときにタッセル本体部２を介してフック掛止部材３に窓枠側Ｌ字状フック４から引き離そうとする所定以上の力が働くと、フック掛止部材３のリング状部５がその可撓性のために変形して切断部９が大きく開く。それによりリング状部５が窓枠側Ｌ字状フックから外れてカーテンタッセル１ａは環状態から開放され、タッセル本体部２は垂れ下がる。環状にして巻き付けてあるカーテンタッセルに幼児が誤って、あるいはいたずらで首を吊ることがあっても、その体重によりフック掛止部材３のリング状部５に大きな力が働くため、切断部９が大きく開いてフック掛止部材３が窓枠側Ｌ字状フックから外れる。これにより事故が防止される。
なお、本実施形態のフック掛止部材３はタッセル本体部２の一方の端だけに取り付け、他端は従来構造としてもよい。
【００１８】
（第２の実施形態）
図６は、本願発明に係るカーテンタッセル取付け補助具１１の平面図である。この取付け補助具１１は、タッセル本体部両端に紐製ループ部材が取りつけられているカーテンタッセルと窓枠側Ｌ字状フックとの間に取りつける取付け補助具である。取付け補助具１１は可撓性を有する板材にて製作されている。取付け補助具１１はリング状に形成されたリング状部１１ａと、その一外側部から背中合わせで外方に向かう２個の釣り針状フック１２で形成されている。
【００１９】
図７は取付け補助具１１を使用してカーテンタッセル１ａを窓枠側Ｌ字状フック４に吊り掛けた状態を上方から見た平面図である。取付け補助具１１は、そのリング状部１１ａをＬ字状フック４に掛ける。釣り針状フック１２の各フックには、カーテンに巻き付けたカーテンタッセル１ａの両端に取り付けられている紐製ループ部材１３を１個ずつ掛ける。これによりカーテンタッセル１ａは環状態となって吊り掛けられた状態になる。
【００２０】
このような状態で吊り掛けられているときにタッセル本体部を介して取付け補助具１１に窓枠側Ｌ字状フック４から引き離そうとする所定以上の力が働くと、取付け補助具１１のリング状部１１ａ及び釣り針状フック１２がその可撓性のために変形する。それによりリング状部１１ａの切断部９が大きく開いてリング状部１１ａが窓枠側Ｌ字状フック４から外れるか、または、釣り針状フック１２が伸びて紐製ループ部材１３が外れるかしてカーテンタッセル１ａは環状態から開放されて垂れ下がる。このため環状にして巻き付けてあるカーテンタッセルに幼児が誤って、あるいはいたずらで首を吊ることがあっても、その体重により取付け補助具１１に大きな力が働いてカーテンタッセル１ａは垂れ下がり、事故が防止される。
【００２１】
（第３の実施形態）
本実施形態のカーテンタッセルは、第２の実施形態のカーテンタッセル取付け補助具１１を構成しているリング状部１１ａに形成されている切断部９を無くして、リング状部１１ｂを閉じたリング状にしたものである。図８はその取付け補助具１１の平面図である。タッセル本体部を介して取付け補助具１１に窓枠側Ｌ字状フック４から引き離そうとする一定以上の力が働くと、釣り針状フック１２がその可撓性のために変形して紐製ループ部材１３が釣り針状フック１２から外れ、カーテンタッセルの環状態が解除される。
【符号の説明】
【００２２】
図面中、１ａ、１ｂ、１ｃはカーテンタッセル、２はタッセル本体部、３、１１、１５はフック掛止部材、４はＬ字状フック、５はリング状部、６、１２は接続部、９は切断部、１２は釣り針状フック、１３は紐製ループ部材を示す。
【図１】
0006288718.tif 000002
【図２】
0006288718.tif 000003
【図３】
0006288718.tif 000004
【図４】
0006288718.tif 000005
【図５】
0006288718.tif 000006
【図６】
0006288718.tif 000007
【図７】
0006288718.tif 000008
【図８】
0006288718.tif 000009